(57)【要約】  【課題】  誤操作防止機能のための部品点数を削減できる電子装置を提供する。  【解決手段】  電子装置１は、回転つまみ５を備え、回転つまみ５が回転軸５３により支持されている。回転つまみ５が回転することで、スイッチ７が回転つまみ５により押される。回転つまみ５を押す方向の外力が作用してもスイッチ誤操作が生じない。また、外面部材である前面パネル３の外面と回転つまみ５の操作面５１とに段差を設けてもよい。電子装置１は例えばナビゲーション装置またはハンドル装置である。【選択図】  図１
2006012528.tif 000002
【特許請求の範囲】
【請求項１】
回転つまみと、前記回転つまみを支持するための回転軸と、前記回転つまみが押圧可能な位置に配置されたスイッチとを備え、前記回転つまみが回転した際に前記スイッチが前記回転つまみに押圧されることを特徴とする電子装置。
【請求項２】
機器外面を構成する外面部材を有し、前記外面部材の前記機器外面よりも前記回転つまみの操作面が機器内側に落ちる段差ができるように前記回転つまみが配置されていることを特徴とする請求項１に記載の電子装置。
【請求項３】
前記回転つまみは、前記回転軸から偏心した位置に、前記スイッチへ向けて延びる脚部を有し、前記脚部の先端が前記スイッチを押圧することを特徴とする請求項１に記載の電子装置。
【請求項４】
請求項１ないし３のいずれかに記載の電子装置が設けられたナビゲーション装置。
【請求項５】
請求項１ないし３のいずれかに記載の電子装置が設けられたハンドル装置。
【発明の詳細な説明】
【技術分野】
【０００１】
本発明は、誤操作防止機能を備えた電子装置に関するものである。
【背景技術】
【０００２】
従来の電子装置としては、例えば、ナビゲーションシステムのような車載機器が挙げられる。ハイドアウェーナビゲーションシステム等の車載機器は、搭載位置が不特定であり、例えば、トランクルームへ搭載されたことがある。このような車載機器は、車内の小物等の物体が不用意に接触することによる誤操作を防止する必要がある。
【０００３】
そこで、従来の電子装置では、図６に示すように、外面部材１００に蓋１０２が設けられており、蓋１０２によって釦１０４が覆われている。釦１０４を操作するときは、蓋１０２が開かれる。これにより、小物類の接触による釦１０４の誤操作が防止されている（特許文献１参照）。
【特許文献１】特開平９−２６５６９８号公報（第２ページ、図１）
【発明の開示】
【発明が解決しようとする課題】
【０００４】
しかしながら、従来の電子装置は、誤操作防止のために、蓋およびその開閉機構を有するため、部品点数が増加しており、材料費の増加を招き、さらには蓋の構造によっては構成が複雑になる、という問題点を有している。
【０００５】
本発明は、上記従来の問題を解決するためになされたもので、誤操作を防止でき、かつ、部品点数が少なく、材料費を抑えられる電子装置を提供することを目的とするものである。
【課題を解決するための手段】
【０００６】
本発明の電子装置は、回転つまみと、前記回転つまみを支持するための回転軸と、前記回転つまみが押圧可能な位置に配置されたスイッチとを備え、前記回転つまみが回転した際に前記スイッチが前記回転つまみに押圧される構成になっている。
【０００７】
この構成により、スイッチ操作のつまみの動きが、円軌道に沿った回転運動になるので、不用意に加わる外力に起因するスイッチの誤操作を防止できる。つまみの回転支持構造によって誤操作防止を実現しており、したがって、少ない部品点数でもって誤操作を防止でき、かつ、材料費も抑えられる。
【０００８】
また、本発明の電子装置は、機器外面を構成する外面部材を有し、前記外面部材の前記機器外面よりも前記回転つまみの操作面が機器内側に落ちる段差ができるように前記回転つまみを配置した構成になっている。
【０００９】
この構成により、回転つまみに直接外力が作用しにくくなり、スイッチの誤操作をより確実に防止できる。
【００１０】
また、本発明の電子装置は、前記回転つまみが、前記回転軸から偏心した位置に、前記スイッチへ向けて延びる脚部を有し、前記脚部の先端が前記スイッチを押圧する構成になっている。この構成により、スイッチが機器外面から離れていても、スイッチ操作を好適に行える。
【００１１】
また、本発明のナビゲーション装置は、上記の電子装置を備えており、これにより、トランク等の不特定の場所に設置された場合にも、小物等の物体の接触による誤操作を防止できる。
【００１２】
また、本発明のハンドル装置は、上記の電子装置を備えており、これにより、運転者が謝ってハンドル上の釦等を押すことによる誤操作を効果的に防止できる。
【発明の効果】
【００１３】
以上のように本発明は、回転ツマミと、それを支持する回転軸と、回転つまみに押圧されて動作するスイッチを備えた構成でもって誤操作防止機能を実現しており、これにより、誤操作防止のための部品点数を少なくでき、材料費を抑えられる効果を有したスイッチ装置を提供できるものである。
【発明を実施するための最良の形態】
【００１４】
以下、本発明の実施の形態について、図面を用いて説明する。
（実施の形態１）
図１は本発明の第１の実施の形態における、電子装置の断面図であり、図２は、電子装置の分解断面図であり、図３は電子装置の動作状態を示す断面図であり、図４は電子装置を裏から見た分解斜視図である。
【００１５】
図１において、電子装置１は、前面パネル３、回転つまみ５、スイッチ７、および、スイッチ７が搭載された基板９を備えている。図示されないが、電子装置１は、前面パネル３と共に装置全体を覆う筐体を備えており、さらには、電源等の各種構成を備えている。しかし、ここでは、本発明を分かりやすく説明するために、主として図１に示す構成について説明する。また、以下の説明では、前面パネル３の表面側を前部または前方、前面パネル３の裏側を後部または後方とする。
【００１６】
前面パネル３は樹脂製であり、電子装置１の外面部材に相当する。前面パネル３の裏面には、図示のように、直方体のつまみ取付部３１が突出している。そして、つまみ取付部３１には、回転つまみ５を収容するつまみ収容部３２が設けられている。
【００１７】
回転つまみ５は樹脂製で円筒形状の部材であり、概略的には、円筒を半分に切断した形状を有している。回転つまみ５において、操作面５１は、円筒の外周面であり、操作者によって指で操作される。上記のつまみ収容部３２は、操作面５１に対応する形状を有しており、これにより回転つまみ５がつまみ収容部３２に収容される。
【００１８】
回転つまみ５は、操作面５１の両側に側壁５２を有している。そして、２つの側壁５２からは、それぞれ、回転軸５３が突出しており、各回転軸５３は、操作面５１の円筒形状の略中心に位置している。一方、前面パネル３は、つまみ収容部３２の両側に突起部３３を有しており、突起部３３に軸受３４が設けられている。そして、軸受３４に、回転つまみ５の回転軸５３が嵌っており、これにより回転つまみ５が回転軸５３により回転可能に支持されている。この支持構造では、回転軸５３が前面パネル３の外面に平行である。
【００１９】
また、前面パネル３の突起部３３は、軸受３４から後方に延びる切欠部３５を有している。切欠部３５は組立時に使われる。すなわち、組立時は、回転つまみ５が前面パネル３の裏側からつまみ収容部３２に挿入される。このとき、回転つまみ５の回転軸５３が、切欠部３５に押しつけられる。前面パネル３は樹脂製であり、ある程度の弾性変形が可能なので、回転軸５３に押されて切欠部３５が広がる。これにより回転軸５３が切欠部３５を通って軸受３４に到達できる。
【００２０】
また、前面パネル３は、つまみ収容部３２の底部に操作窓３６を有している。操作窓３６は前面パネル３を貫通する開口であり、操作窓３６から回転つまみ５１の操作面５２が露出している。操作面５２には、操作窓３６に対応する場所に凹部５４が設けられている。凹部５４は、操作者の指等が引っかかりやすくするために設けられている。
【００２１】
また、回転つまみ５は、図示のように、装置内部に向かって延びる脚部５５を備えている。脚部５５は、操作面５１の一端から延びるように設けられており、これにより、脚部５５は、回転軸５３から偏心した位置にある。
【００２２】
脚部５５の先端は、基板９に搭載されたスイッチ７に達している。基板９には、スイッチ７に関連するプリント配線が施されている。基板９には、さらに、電子装置１で必要な配線が施され、また、各種の電子部品が搭載されている。また、基板９は、図示されない電子装置１の筐体に取り付けられ、支持されている。
【００２３】
また、回転つまみ５は、操作面５１の両端にストッパ５６、５７を備えている。ストッパ５６、５７は、操作面５１上に設けられた突起であり、つまみ取付部３１に突き当たることで回転つまみ５の回転範囲を規制している。
【００２４】
一方のストッパ５６は、脚部５４の根本部分に設けられており、脚部５５がスイッチ７から遠ざかる方向（図の時計方向）の回転範囲を規制している。回転つまみ５１が操作されていない状態では、回転つまみ５がばね（図示せず）によって時計方向に付勢されており、ストッパ５６が機能している。もう一方のストッパ５７は、ストッパ５６の反対側に設けられており、脚部５５がスイッチ７を押圧する方向（図の半時計方向）の回転範囲を規制している。なお、図１等においては、図を見やすくするために、ストッパがつまみ取付部から少し離れた場所に示されている。
【００２５】
次に、本実施の形態の電子装置１におけるスイッチ操作時の動作を説明する。スイッチ操作においては、回転つまみ５の操作面５１が、操作者によって回される。このとき、操作者の指が操作面５１の凹部５４に掛けられ、前面パネル３の外面に沿った方向（図の上下方向）に動かされる。この操作により、図３に示されるように、回転つまみ５は、回転軸５３を中心に回転する。そして、回転つまみ５の脚部５６の先端も回転し、スイッチ７を押す。このとき、脚部５６の先端は、回転軸５６を中心に回転するので、スイッチ７に対して斜めに動くが、この斜めの動きによってもスイッチ７を押すことができる。操作者が回転つまみ５１から手を離すと、回転つまみ５１は図示されないばねに付勢されて、元の位置に戻る。
【００２６】
電子装置１に対して、スイッチ操作の原因になる外力が加わったとする。このような外力は、一般に、前面パネル３の外面に対して垂直に、すなわち、回転つまみ５を押す方向に作用する。しかし、本実施の形態では、スイッチ操作方向が、従来の１軸方向（押下げ方向）から、回転方向に変わっている。すなわち、回転つまみ５の操作面５１が円軌道に沿って動くように構成されており、前面パネル３の外面付近では操作面５１が外面に沿って動く。したがって、前面パネル３に直角な方向の外力が作用しても、スイッチは操作されない。これにより誤動作を防止できる。
【００２７】
本実施の形態の電子装置１は、例えば、ナビゲーション装置に適用される。ハイドアウエイタイプのナビゲーション装置は、トランクルームやシートの下といった不特定な場所に設置される。そして、小物などの物体が転がって電子装置１に接触する可能性がある。このような場合、物体の接触による外力は、前面パネル３の外面に垂直方向に加わる。しかし、本実施の形態では、このような外力では回転つまみ５が回転しないので、誤操作を効果的に防止できる。
【００２８】
また、本実施の形態の電子装置１は、例えば、ハンドル装置に適用される。ハンドル装置では、運転者が不用意にハンドルのスイッチ部分を押す可能性があり得る。しかし、本実施の形態では、回転つまみ５は運転者に単に押されても回転しないので、誤操作を効果的に防止できる。
【００２９】
以上に説明したように、本発明の第１の実施の形態の電子装置１によれば、回転つまみ５でスイッチを押す構成を備えたことにより、スイッチ操作が、円軌道に沿った回転運動になるので、不用意に加わる外力に起因するスイッチの誤操作を防止できる。つまみの回転支持構造でもって誤操作防止を実現しており、したがって、誤操作防止のための部品点数を少なくでき、材料費を抑えられる。
【００３０】
また、本実施の形態の電子装置１によれば、回転つまみ５が、回転軸５３から偏心した位置に脚部５５を有しており、これにより、スイッチ７が機器外面から離れていても、スイッチ操作を好適に行える。
【００３１】
また、本実施の形態の電子装置１はナビゲーション装置に備えられ、これにより、トランク等の不特定の場所に設置された場合にも、小物等の物体の接触による誤操作を防止できる。
【００３２】
また、本実施の形態の電子装置１はハンドル装置に備えられ、これにより、運転者が謝ってハンドル上の釦等を押すことによる誤操作を効果的に防止できる。
【００３３】
（実施の形態２）
次に、本発明の第２の実施の形態について説明する。以下の説明では、第１の実施の形態と同様な構成要素には同様な符号を付し、重複する説明は省略する。
【００３４】
図５を参照すると、本実施の形態の電子装置１では、回転つまみ５の操作面５１が、外面部材である前面パネル３の外面（表面）３７よりも後方に位置するように、回転つまみ５が配置されている。これにより、外面３７に対して操作面５１が落ちる段差Ｘができている。
【００３５】
上記の段差Ｘを作るために、図５の第２の実施の形態は、図１の第１の実施の形態と以下の点で異なっている。すなわち、図５では、前面パネル３からのつまみ収容部３１の突出量が増しており、つまみ収容部３２および軸受３４が奥側に移動している。これにより、前面パネル５の外面から軸受３４までの距離が長くなり、そして、回転つまみ５が奥側に移動し、段差Ｘが生じている。
【００３６】
本実施の形態では、上記の段差Ｘを設けたことで、外力が回転つまみ５に作用しにくい。前面パネル３に垂直な方向の外力だけでなく、前面パネル３の外面３７に沿った方向の外力も作用しにくい。すなわち、回転つまみ５を回す方向の外力も作用しにくくなっており、このような外力に起因する誤操作も防止できる。
【００３７】
以上のように、本発明の第２の実施の形態に係る電子装置１によれば、前面パネル３と回転つまみ５に段差Ｘを設けたことにより、回転つまみ５に直接外力が作用しにくくなり、スイッチの誤操作をより確実に防止できる。つまみ回転構造に段差構造が組み合わされており、つまみ構造が、スイッチ押下げ方向の外力に対する誤操作を防止し、さらに、段差構造が、スイッチ回転方向の外力に対する誤操作を防止でき、誤操作防止能力を向上できる。
【００３８】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００３９】
以上のように、本発明に係る電子装置は、回転つまみを利用した誤操作防止機能を備え、部品点数を減らし、材料費を削減できるという効果を有し、車載機器等で有効である。
【図面の簡単な説明】
【００４０】
【図１】本発明の第１の実施の形態における電子装置の断面図
【図２】本発明の第１の実施の形態における電子装置の分解断面図
【図３】本発明の第１の実施の形態における電子装置の動作状態の断面図
【図４】本発明の第１の実施の形態における電子装置の分解斜視図
【図５】本発明の第２の実施の形態における電子装置の断面図
【図６】従来例における電子装置を示す図
【符号の説明】
【００４１】
１  電子装置
３  前面パネル
５  回転つまみ
７  スイッチ
９  基板
５１  操作面
５３  回転軸
５５  脚部
【図１】
2006012528.tif 000003
【図２】
2006012528.tif 000004
【図３】
2006012528.tif 000005
【図４】
2006012528.tif 000006
【図５】
2006012528.tif 000007
【図６】
2006012528.tif 000008